(57)【要約】【課題】複数の表示装置が連動して表示している表示画像全体を拡大又は縮小する。【解決手段】表示装置１００は、一以上の他の表示装置１００と連動して表示画像を出力する表示装置１００であって、画像情報を取得する画像取得部１２０と、表示画像を出力する出力部２００と、複数の表示装置１００が連動して出力する複数の表示画像を含む全体画像における、表示装置１００が出力する表示画像の位置を示す位置情報を取得する情報取得部１３０と、を有し、出力部２００は、表示を拡大又は縮小する指示に基づき、出力中の表示画像の中心位置と異なる位置を基準位置として拡大又は縮小された画像情報に含まれる画像のうちから、位置情報に対応する領域の画像を選択し、選択した領域の画像を表示画像として出力する。【選択図】図５
2018060083.tif 000002
【特許請求の範囲】
【請求項１】
一以上の他の表示装置と連動して表示画像を出力する表示装置であって、
画像情報を取得する画像取得手段と、
前記表示画像を出力する出力手段と、
複数の前記表示装置が連動して出力する複数の前記表示画像を含む全体画像における、前記表示装置が出力する前記表示画像の位置を示す位置情報を取得する情報取得手段と、
を有し、
前記出力手段は、表示を拡大又は縮小する指示に基づき、出力中の前記表示画像の中心位置と異なる位置を基準位置として拡大又は縮小された前記画像情報に含まれる画像のうちから、前記位置情報に対応する領域の画像を選択し、選択した領域の画像を前記表示画像として出力することを特徴とする表示装置。
【請求項２】
前記出力手段は、前記位置情報に対応する基準位置に基づいて、前記指示に基づく変倍率に対応する領域の画像を前記画像情報から選択し、選択した領域の画像を前記表示画像として出力することを特徴とする、
請求項１に記載の表示装置。
【請求項３】
前記画像取得手段は、前記一以上の他の表示装置の少なくともいずれか一台から、表示中の画像に対応する前記画像情報に含まれる画像に対して変倍されたスケーリング画像を取得し、
前記出力手段は、前記スケーリング画像から、前記指示に対応する領域の画像を選択し、選択した領域の画像を前記表示画像として出力することを特徴とする、
請求項１又は２に記載の表示装置。
【請求項４】
前記画像取得手段が取得した前記画像情報に含まれる画像を変倍したスケーリング画像を生成する画像処理手段をさらに有し、
前記出力手段は、前記画像処理手段が生成した前記スケーリング画像から、前記指示に対応する領域の画像を選択し、選択した領域の画像を前記表示画像として出力することを特徴とする、
請求項１又は２に記載の表示装置。
【請求項５】
前記情報取得手段は、前記一以上の他の表示装置のいずれか一台から、前記画像情報に含まれる画像の拡大率又は縮小率を示す倍率情報を含む前記指示を取得し、
前記画像処理手段は、前記倍率情報に基づいて前記スケーリング画像を生成することを特徴とする、
請求項４に記載の表示装置。
【請求項６】
前記出力手段は、前記一以上の他の表示装置と連動して出力する前記表示画像において、前記一以上の他の表示装置が出力する表示画像と重畳させるエッジブレンド領域を含む領域の画像を前記表示画像として出力することを特徴とする、
請求項１から４のいずれか一項に記載の表示装置。
【請求項７】
前記一以上の他の表示装置と連動して表示画像を出力する第１モードで動作させるか、単独で画像を出力する第２モードで動作させるかを選択する選択手段をさらに有し、
前記出力手段は、前記選択手段が前記第１モードを選択した場合、前記指示に応じて、出力中の前記表示画像の中心位置と異なる位置を基準位置として、前記位置情報に対応する領域の画像を前記表示画像として出力し、前記選択手段が前記第２モードを選択した場合、出力中の前記表示画像の中心位置を基準として前記画像情報に含まれる画像を変倍した画像を前記表示画像として出力することを特徴とする、
請求項１から４のいずれか一項に記載の表示装置。
【請求項８】
前記情報取得手段は、前記一以上の他の表示装置のいずれか一台から前記位置情報を取得することを特徴とする、
請求項１から５のいずれか一項に記載の表示装置。
【請求項９】
画像情報を送信する画像送信手段をさらに有し、
前記画像処理手段は、前記指示に基づいて前記画像情報からスケーリング画像を生成し、
前記画像送信手段は、前記画像処理手段が生成した前記スケーリング画像における前記一以上の他の表示装置の前記位置情報に対応する領域の画像を、前記画像情報として前記一以上の他の表示装置に送信することを特徴とする、
請求項４に記載の表示装置。
【請求項１０】
前記指示を受け付ける指示受付手段と、
前記指示受付手段が前記指示を受け付けた場合に、前記一以上の他の表示装置に、それぞれの表示装置に対応する前記位置情報を送信する送信手段と、
を有することを特徴とする、
請求項１から７のいずれか一項に記載の表示装置。
【請求項１１】
前記指示を受け付ける指示受付手段をさらに有し、
前記送信手段は、
前記指示受付手段が前記指示を受け付けた場合に、前記一以上の他の表示装置に前記指示を送信する、
ことを特徴とする、
請求項１０に記載の表示装置。
【請求項１２】
複数の表示装置と連動して表示画像を出力する表示方法であって、
前記複数の表示装置が連動して出力する複数の前記表示画像を含む全体画像における、表示装置が出力する前記表示画像の位置を示す位置情報を取得するステップと、
画像情報を取得するステップと、
表示を拡大又は縮小する指示に基づき、出力中の前記表示画像の中心位置と異なる位置を基準位置として拡大又は縮小された前記画像情報に含まれる画像のうちから、前記位置情報に対応する領域の画像を選択するステップと、
選択した領域の画像を前記表示画像として出力するステップと、
を有することを特徴とする表示方法。
【請求項１３】
互いに連動して複数の表示画像を含む全体画像を出力する第１表示装置及び第２表示装置を備える表示システムであって、
前記第１表示装置は、前記第２表示装置が表示する画像を含む画像情報を送信する画像送信手段を有し、
前記第２表示装置は、
前記画像情報を取得する画像取得手段と、
前記表示画像を出力する出力手段と、
前記第１表示装置と連動して出力する表示画像における、前記第２表示装置が出力する画像の位置を示す位置情報を取得する情報取得手段と、
を有し、
前記出力手段は、表示を拡大又は縮小する指示に基づき、出力中の前記表示画像の中心位置と異なる位置を基準位置として拡大又は縮小された前記画像情報に含まれる画像のうちから、前記位置情報に対応する領域の画像を選択し、選択した領域の画像を前記表示画像として出力することを特徴とする表示システム。
【発明の詳細な説明】
【技術分野】
【０００１】
本発明は、他の表示装置と連動して画像を表示する表示装置、表示方法、及び表示システムに関するものである。
【背景技術】
【０００２】
表示装置の利用方法として、複数台の表示装置の表示画像をつなぎ合わせることで１枚の表示画像を構成する投影方法が知られている。特許文献１には、４台のプロジェクタを用いて１枚の画像を投影するシステムが開示されている。
【先行技術文献】
【特許文献】
【０００３】
【特許文献１】特開２００６−９４１８６号公報
【発明の概要】
【発明が解決しようとする課題】
【０００４】
表示装置のユーザは、表示装置の操作部を用いて、表示画像を拡大又は縮小することができる。しかしながら、複数の表示装置で１枚の表示画像を表示している状態で、ユーザが、ある１台の表示装置に対して拡大操作又は縮小操作を行った場合、拡大操作又は縮小操作が行われた表示装置が表示している表示画像のみが拡大又は縮小されてしまう。このように、従来のシステムにおいては、各表示装置の中心を基準位置として表示画像を拡大又は縮小することはできるが、複数の表示装置が連動して表示している表示画像全体を拡大又は縮小することができないという問題があった。
【０００５】
そこで、本発明は上述した点に鑑みてなされたものであり、複数の表示装置が連動して表示している表示画像全体を拡大又は縮小することができる表示装置、表示方法及び表示システムを提供することを目的とする。
【課題を解決するための手段】
【０００６】
上記の課題を解決するために、本発明の表示装置は、一以上の他の表示装置と連動して表示画像を出力する表示装置であって、画像情報を取得する画像取得手段と、前記表示画像を出力する出力手段と、複数の前記表示装置が連動して出力する複数の前記表示画像を含む全体画像における、前記表示装置が出力する前記表示画像の位置を示す位置情報を取得する情報取得手段と、を有し、前記出力手段は、表示を拡大又は縮小する指示に基づき、出力中の前記表示画像の中心位置と異なる位置を基準位置として拡大又は縮小された前記画像情報に含まれる画像を拡大又は縮小した画像のうちから、前記位置情報に対応する領域の画像を選択し、選択した領域の画像を前記表示画像として出力することを特徴とする。
【０００７】
本発明の表示方法は、複数の表示装置と連動して表示画像を出力する表示方法であって、前記複数の表示装置が連動して出力する複数の前記表示画像を含む全体画像における、表示装置が出力する前記表示画像の位置を示す位置情報を取得するステップと、画像情報を取得するステップと、表示を拡大又は縮小する指示に基づき、出力中の前記表示画像の中心位置と異なる位置を基準位置として拡大又は縮小された前記画像情報に含まれる画像のうちから、前記位置情報に対応する領域の画像を選択するステップと、選択した領域の画像を前記表示画像として出力するステップと、を有することを特徴とする。
【０００８】
本発明の表示システムは、互いに連動して複数の表示画像を含む全体画像を出力する第１表示装置及び第２表示装置を備える表示システムであって、前記第１表示装置は、前記第２表示装置が表示する画像を含む画像情報を送信する画像送信手段を有し、前記第２表示装置は、前記画像情報を取得する画像取得手段と、前記表示画像を出力する出力手段と、前記第１表示装置と連動して出力する表示画像における、前記第２表示装置が出力する画像の位置を示す位置情報を取得する情報取得手段と、を有し、前記出力手段は、表示を拡大又は縮小する指示に基づき、出力中の前記表示画像の中心位置と異なる位置を基準位置として拡大又は縮小された前記画像情報に含まれる画像のうちから、前記位置情報に対応する領域の画像を選択し、選択した領域の画像を前記表示画像として出力することを特徴とする。
【発明の効果】
【０００９】
本発明によれば、複数の表示装置が連動して表示している表示画像全体を拡大又は縮小することができるという効果を奏する。
【図面の簡単な説明】
【００１０】
【図１】本実施形態に係る表示システムＳの概要を説明するための図である。
【図２】複数の表示装置１００のそれぞれが出力する画像の位置を示す図である。
【図３】従来の表示装置を用いた場合の拡大処理について説明するための図である。
【図４】本実施形態に係る表示装置１００を用いた場合の拡大処理について説明するための図である。
【図５】表示装置１００の構成を示す図である。
【図６】各表示装置１００の出力部が表示画像を出力する領域について説明するための図である。
【図７】表示装置１００が表示画像を拡大する場合の動作について説明するための図である。
【図８】表示装置１００が表示画像を拡大する動作のフローチャートである。
【図９】表示装置１００が単独で画像を出力する場合について説明する図である。
【図１０】第２の実施形態の表示装置１００が表示画像を拡大又は縮小する動作のフローチャートである。
【図１１】第３の実施形態の表示装置１００が表示画像を拡大又は縮小する動作のフローチャートである。
【発明を実施するための形態】
【００１１】
＜第１の実施形態＞
［表示システムＳの概要］
図１は、本実施形態に係る表示システムＳの概要を説明するための図である。図１においては、表示システムＳが備える複数の表示装置１００（１００ａ、１００ｂ、１００ｃ、１００ｄ）が、スクリーンに全体画像５００を出力した状態を例示している。表示装置１００は、例えば液晶プロジェクタである。
【００１２】
表示装置１００は、液晶パネルの光の透過率を制御して、液晶パネルを透過した光源からの光をスクリーンに出力することで、画像をユーザに提示する。図１に示す例においては、表示装置１００ａ、１００ｂ、１００ｃ、１００ｄが、水平方向に２台、垂直方向に２台が設けられた２×２構成で配置されている。表示装置１００ａ、１００ｂ、１００ｃ、１００ｄは、図示しないネットワークケーブル又は無線通信チャネルを介して、相互にデータを送受信できる。表示装置１００ａは、マスター装置として機能する。表示装置１００ａは、スレーブ装置として機能する他の表示装置１００ｂ、１００ｃ、１００ｄとの間で情報を送受信し、他の表示装置１００ｂ、１００ｃ、１００ｄと連動して１枚の表示画像を出力することができる。
【００１３】
図２は、複数の表示装置１００のそれぞれが出力する画像の位置を示す図である。図２（ａ）は１×２構成、図２（ｂ）は２×２構成、図２（ｃ）は２×３構成、図２（ｄ）は３×３構成の表示システムＳが表示する画像の位置を例示している。ユーザは、複数の表示装置１００を、図２に示す例と異なる位置に配置してもよい。
【００１４】
以下では、ユーザが、表示装置１００ａ、１００ｂ、１００ｃ、１００ｄを、図１で示す２×２構成に配置した場合の例を説明する。図２（ｂ）の四角内の番号（１から４）は、それぞれの表示装置１００が出力する画像の位置を示す位置情報である。位置情報は、複数の表示装置１００が連動して表示する１枚の表示画像における、各表示装置１００が出力する表示画像の位置を示す情報である。本実施形態においては、ユーザが、図２（ｂ）で示す配置構成パターンを用いて、表示装置１００ａが１（左上）、１００ｂが２（右上）、１００ｃが３（左下）、１００ｄが４（右下）の位置に表示画像を出力するように設定したものとして説明する。
【００１５】
図３は、従来の表示装置を図１に示す構成で用いた場合の拡大処理について説明するための図である。図３（ａ）は、従来の表示装置が、他の表示装置と連動して複数の表示画像を含む全体画像５００を出力している状態を例示している。図３（ａ）における破線で囲まれたエリアＡ（Ａ１〜Ａ４）は、表示画像を拡大するためのスケーリング指示を受けた各表示装置が、表示中の画像の中心を基準位置として表示画像を拡大する領域を示している。ここで、スケーリング指示は、例えば、画像情報に含まれる画像の拡大率又は縮小率を特定するための指示である。拡大率又は縮小率は、倍率情報、解像度情報、又は縦横の長さ情報等により指定される。
【００１６】
図３（ｂ）は、各表示装置が表示中の画像を拡大した状態の全体画像５０１を例示している。図３（ｂ）に示すように、各表示装置が、自装置が表示中の画像の中心を基準位置としてエリアＡを拡大すると、図３（ａ）に示した全体画像５００の中心を基準として全体画像５００を拡大した画像と異なる画像が表示されてしまう。
【００１７】
図４は、本実施形態に係る表示装置１００を図１に示す構成で用いた場合の拡大処理について説明するための図である。図４（ａ）は、複数の表示装置１００が連動して出力する全体画像５００を例示している。全体画像５００の中心には、複数の表示装置１００が連動して出力する全体画像５００における拡大処理又は縮小処理の基準位置６００が示されている。基準位置６００は、各表示装置１００が表示中の画像の中心と異なる位置に設定されている。基準位置６００は、例えば、各表示装置１００が拡大又は縮小後に画像を表示するエリアの角の一つの位置に設定されている。破線で囲まれたエリア４００は、基準位置６００を重心位置とする長方形であり、全体画像５００における拡大する対象となる領域である。なお、本明細書において、「拡大又は縮小」を「変倍」と称することがある。また、「拡大率又は縮小率」を「変倍率」と称することがある。
【００１８】
図４（ｂ）は、基準位置６００を中心としてエリア４００が拡大された全体画像５０２を示す。図４（ｂ）に示す通り、各表示装置１００は、基準位置６００を中心として拡大された全体画像５０２のうち、各表示装置１００に対応する領域の画像を出力する。このようにすることで、表示システムＳは、複数の表示装置１００が連動して１枚の全体画像５００を表示している場合に、全体画像５００を拡大又は縮小した全体画像５０２を表示することができる。
【００１９】
［表示装置１００の構成］
図５は、表示装置１００の構成を示す図である。表示装置１００は、制御部１１１、記憶部１１２、画像取得部１２０、情報取得部１３０、画像処理部１４０、選択部１７０、画像送信部１５０、指示受付部１６０、送信部１８０、表示部１９０、表示制御部１９１、及び出力部２００を有する。
【００２０】
制御部１１１は、例えばＣＰＵ（Central Processing Unit）を含む。制御部１１１は、その他の各動作ブロックとバス接続されている。制御部１１１は、記憶部１１２に記憶されたプログラムを実行することにより、表示装置１００の各動作ブロックを制御する制御手段である。制御部１１１は、例えば指示受付部１６０から入力された制御信号に基づいて各動作ブロックに制御指示を送信したり、各動作ブロックからデータを取得したりする。
【００２１】
記憶部１１２は、ＲＯＭ（Read Only Memory）、ＲＡＭ（Random Access Memory）及びハードディスクなどの記憶媒体を含む。記憶部１１２は、制御部１１１が実行するプログラムの記憶、映像データ、画像データ、映像ファイルなどの各種の情報データのファイルの保存、プログラムの展開や投影画像のフレームメモリなどに使用される。また、記憶部１１２は、ユーザにより設定された、他の表示装置１００のＩＰアドレスを記憶している。
【００２２】
画像取得部１２０は、画像情報を取得する画像取得手段である。画像取得部１２０は、一以上の他の表示装置１００の少なくともいずれか一台の表示装置１００（例えば、マスター装置として機能する表示装置１００ａ）から、表示中の画像に対応する画像情報に含まれる画像に対して拡大又は縮小されたスケーリング画像を取得する。画像取得部１２０は、画像データ、映像データ、映像ファイルなどの各種の情報データのファイルを取得する。画像取得部１２０は、取得した画像情報を、出力部２００又は画像処理部１４０の少なくとも一方に送信する。画像取得部１２０は、例えば、カードインターフェース、ＵＳＢ（Universal Serial Bus）インターフェイス、Ｓ映像端子、Ｄ端子、コンポーネント端子、アナログＲＧＢ端子、ＤＶＩ−Ｉ端子、ＤＶＩ−Ｄ端子、ＨＤＭＩ（High-Definition Multimedia Interface）（登録商標）端子、有線ＬＡＮ（Local Area Network）、無線ＬＡＮ等を含む。
【００２３】
情報取得部１３０は、一以上の他の表示装置１００と連動して出力する表示画像における、表示装置１００が出力する画像の位置を示す位置情報を取得する情報取得手段である。情報取得部１３０は、例えば、有線ＬＡＮ、無線ＬＡＮ等の通信インターフェイスを含む。
【００２４】
情報取得部１３０は、他の表示装置１００から画像情報に含まれる画像の拡大率又は縮小率（すなわち変倍率）を示す倍率情報を含むスケーリング指示を取得する。情報取得部１３０は、一以上の他の表示装置１００のいずれか一台から自装置の位置情報をさらに取得してもよい。情報取得部１３０は、例えば、ユーザが複数の表示装置１００の配置を表示装置１００ａにおいて設定した場合、表示装置１００ａから位置情報を取得する。情報取得部１３０は、取得した位置情報、及び倍率情報を含むスケーリング指示を、出力部２００、制御部１１１、画像処理部１４０、送信部１８０の少なくとも一つに送信する。
【００２５】
画像処理部１４０は、画像取得部１２０が取得した画像情報に含まれる画像を拡大又は縮小したスケーリング画像を生成する画像処理手段である。画像処理部１４０は、情報取得部１３０が、ユーザにより入力された倍率情報、又は他の表示装置１００から取得した倍率情報に基づいて、スケーリング画像を生成する。画像処理部１４０は、例えば、画像情報に含まれる画像に対しバイキュービック法やバイリニア法、ニアレストネイバー法といった画像補完アルゴリズムを用いて、拡大又は縮小したスケーリング画像を生成することができる。そして、画像処理部１４０は、生成したスケーリング画像を、出力部２００又は画像送信部１５０の少なくとも一方に送信する。
【００２６】
画像送信部１５０は、画像処理部１４０が生成した画像又は選択した領域の画像を、画像情報として他の表示装置１００に送信する画像送信手段である。画像送信部１５０は、他の表示装置１００との間で、静止画データ及び動画データ等の画像情報を送信するための通信インターフェイスを含む。画像送信部１５０は、例えば、ＵＳＢインターフェイス、Ｓ映像端子、Ｄ端子、コンポーネント端子、アナログＲＧＢ端子、ＤＶＩ−Ｉ端子、ＤＶＩ−Ｄ端子、ＨＤＭＩ（登録商標）端子、有線ＬＡＮ、無線ＬＡＮ等を含み、通信方式は特に限定されない。
【００２７】
指示受付部１６０は、ユーザの指示操作を受け付ける指示受付手段である。指示受付部１６０は、例えば、表示画像を拡大又は縮小する指示であるスケーリング指示を受け付ける。また、指示受付部１６０は、表示装置１００を、他の表示装置１００と連動して１枚の表示画像を出力する第１モードで動作させるか、単独で画像を出力する第２モードで動作させるかに関する指示を受け付ける。
【００２８】
指示受付部１６０は、例えば操作用のボタンを有しており、制御部１１１に、操作されたボタンの種別に基づいて特定される受け付けた指示の内容を示す指示信号を送信する。指示受付部１６０は、リモコン、又はＬＡＮ等で接続されたＰＣ（Personal Computer）等から信号を受信する受信部であってもよい。この場合、指示受付部１６０は、受信した信号が示す指示信号を制御部１１１に送信する。また、指示受付部１６０は、受け付けたスケーリング指示を他の表示装置１００に送信するために、バス接続された送信部１８０にスケーリング指示を送信してもよい。
【００２９】
選択部１７０は、表示装置１００を、一以上の他の表示装置１００と連動して表示画像を出力する第１モードで動作させるか、単独で画像を出力する第２モードで動作させるかを選択する選択手段である。選択部１７０は、表示装置１００が動作する動作モードを、例えば指示受付部１６０においてユーザが選択した動作モードに設定する。選択部１７０は、表示装置１００が、一以上の他の表示装置１００と接続されている場合に自動的に第１モードで動作させ、他の表示装置１００と接続されていない場合に自動的に第２モードで動作させてもよい。選択部１７０は、例えば、制御用のマイクロプロセッサを含む。選択部１７０は、専用のマイクロプロセッサを含む必要はなく、例えば、記憶部１１２に記憶されたプログラムによって、制御部１１１が選択部１７０として機能してもよい。
【００３０】
送信部１８０は、指示受付部１６０がスケーリング指示を受け付けた場合に、一以上の他の表示装置１００に、スケーリング指示、及びそれぞれの表示装置１００に対応する位置情報を送信する送信手段である。送信部１８０は、他の表示装置１００との間で、制御信号、静止画データ及び動画データ等を送信するための通信インターフェイスを含む。送信部１８０は、例えば、無線ＬＡＮ、有線ＬＡＮ、ＵＳＢ又はＢｌｕｅｔｏｏｔｈ（登録商標）等であり、通信方式は特に限定されない。送信部１８０は、画像取得部１２０の端子が、例えばＨＤＭＩ端子であれば、その端子を介してＣＥＣ通信を行うためのインターフェイスを有していてもよい。
【００３１】
表示部１９０は、表示装置１００本体に配置され、表示装置の状態や警告等を表示する。表示部１９０は、例えば、ＬＥＤ表示灯、又は液晶ディスプレイである。表示制御部１９１は、表示部１９０を制御して表示装置の状態や警告等を表示させる。
【００３２】
出力部２００は、光源２０１、光源制御部２０２、液晶部２０３、液晶駆動部２０４、投影光学系２０５及び光学系制御部２０６を有する。出力部２００は、画像を出力する出力手段として機能する。
【００３３】
光源２０１は、液晶部２０３に光を供給する光源である。光源２０１は、例えば、ハロゲンランプ、キセノンランプ、高圧水銀ランプ等である。光源制御部２０２は、光源２０１のオン／オフの制御、及び光量の制御をするものである。液晶部２０３は、図示しない液晶パネルで構成されており、この液晶パネル上に画像を形成する。液晶駆動部２０４は、入力された画像信号に基づいて、液晶部２０３の液晶パネルに画像を形成させる。投影光学系２０５は、光源２０１から発せられた光を液晶部２０３に供給することにより得られた光学像を不図示のスクリーンに投影するための投影光学系である。光学系制御部２０６は、投影光学系２０５のズームレンズやフォーカスレンズなどの動作を制御し、ズーム倍率や焦点調整などを行う。
【００３４】
光源制御部２０２、液晶駆動部２０４、光学系制御部２０６は、例えば制御用マイクロプロセッサを含む。光源制御部２０２、液晶駆動部２０４、光学系制御部２０６は、専用のマイクロプロセッサを含む必要はなく、例えば、記憶部１１２に記憶されたプログラムによって、制御部１１１が、光源制御部２０２、液晶駆動部２０４、光学系制御部２０６として機能してもよい。
【００３５】
出力部２００は、選択部１７０が第１モードを選択した場合、表示を拡大又は縮小する指示に基づき、出力中の表示画像の中心位置と異なる位置を基準位置として拡大又は縮小した画像情報に含まれる画像における、位置情報に対応する領域の画像を選択する。そして、出力部２００は、選択した領域の画像を表示画像として出力する。出力部２００は、選択部１７０が第２モードを選択した場合、出力中の表示画像の中心位置を基準として、画像情報に含まれる画像を拡大又は縮小した画像を表示画像として出力する。
【００３６】
［表示装置１００の通常動作の説明］
次に、表示装置１００の通常の動作について説明する。表示装置１００の通常の動作は、ユーザが、操作部又はリモコン（不図示）を介して、表示装置１００の電源のＯＮ状態への移行を指示した時点で開始する。制御部１１１は、操作部又はリモコンによりユーザが表示装置１００の電源のＯＮを指示すると、電源部（不図示）から表示装置１００の各部に電力の供給を開始する。次に、選択部１７０は、ユーザによる操作部やリモコンの操作により選択された動作モードを選択する。なお、選択部１７０は、電源を投入した時点での動作モードとして、前回の投影動作が終了した時の動作モードを自動的に選択してもよく、第１モード又は第２モードのいずれか一方をデフォルトの動作モードとして選択してもよい。
【００３７】
続いて、制御部１１１は、画像の出力処理を実行する。制御部１１１は、画像の出力処理において、画像取得部１２０が取得した画像又は映像を画像処理部１４０に送信し、画像処理部１４０に、液晶部２０３で表示するのに適した補正や解析を実行させる。画像処理部１４０は、例えば、画像信号の画素数を液晶パネルの画素数にあわせて変換する。画像処理部１４０は、入力された画像又は映像信号がアナログ信号である場合、受信したアナログ映像信号のタイミングや極性を測定したり、Ａ／Ｄ変換を行なったりする。
【００３８】
制御部１１１は、画像処理部１４０が処理した画像又は映像を、液晶駆動部２０４に送信する。そして、制御部１１１は、液晶部２０３の透過率が、受信した画像に応じた透過率となるように、液晶駆動部２０４に液晶部２０３を制御させる。また、制御部１１１は、光源２０１からの光の出力を光源制御部２０２に制御させる。制御部１１１は、上記の処理を、出力部２００が画像を出力している間、１フレームの画像毎に順次、実行する。なお、投影光学系２０５の操作が行われると、制御部１１１は、光学系制御部２０６に、出力している画像の焦点を変更させたり光学系の拡大率を変更したりするように、投影光学系２０５のズームレンズやフォーカスレンズを制御させる。
【００３９】
［第１モードでの動作］
続いて、選択部１７０が、表示装置１００を一以上の他の表示装置１００と連動して表示画像を出力する第１モードで動作させることを選択した場合に、表示装置１００が他の表示装置１００と連動して表示画像を出力する処理について説明する。
【００４０】
図６は、各表示装置１００の出力部２００が全体画像５００を出力する領域について説明するための図である。図６の全体画像５００は、複数の表示装置１００が連動して出力する表示画像である。図６の一点鎖線は、全体画像５００の縦及び横の中心線を示し、一点鎖線の交点は全体画像５００の中心である。二点鎖線３００ａと３００ｂとで囲まれた領域、及び３００ｃと３００ｄとで囲まれた領域は、それぞれエッジブレンド領域を示す。エッジブレンドとは、複数の表示画像をつなぎ合わせるときにつなぎ目を目立たなくする処理であり、複数の表示画像の一部の領域が重畳され、重畳された領域の照度が重畳されていない領域の照度と等しくなるように重畳領域を減光する処理である。
【００４１】
図６を参照して、出力部２００が位置情報に対応する基準位置を設定し、基準位置に基づいて画像情報から出力する領域を選択し、選択した領域を表示画像として出力するトリミング動作について説明する。制御部１１１は、画像取得部１２０が取得した画像情報を、画像処理部１４０に送信する。本実施形態では、画像取得部１２０が、画像情報として、３４６０Ｐｉｘｅｌ×２２００ＬｉｎｅのＪＰＥＧ形式の画像データを取得したものとする。
【００４２】
続いて、制御部１１１は、画像処理部１４０に画像情報に含まれる画像を分割させる。本実施形態では、２×２構成となっているので、画像処理部１４０は、位置情報に対応するように画像情報に含まれる画像を４分割する。そして、制御部１１１は、画像処理部１４０に、エッジブレンド領域を含むように、基準位置を設定させる。本実施形態では、エッジブレンド領域を縦横２００Ｐｉｘｅｌ／Ｌｉｎｅとした。画像処理部１４０は、左上端を原点（０，０）として、表示画像の中心（１８２０，１１００）から、縦＋１００Ｐｉｘｅｌ／Ｌｉｎｅ、横＋１００Ｐｉｘｅｌ／Ｌｉｎｅ移動した位置（１９２０，１２００）を、表示装置１００ａの基準位置として設定する。
【００４３】
図６には、設定された表示装置１００ａの位置情報に対応する基準位置６１０が示されている。画像処理部１４０は、設定された基準位置６１０を基準として、スケーリング指示が示す拡大率又は縮小率に対応する斜線部で示すエリア４１１を表示画像として出力する領域として選択し、出力部２００に送信する。出力部２００は、エリア４１１の画像を表示画像として出力する。このようにすることで、出力部２００は、他の表示装置１００が出力する表示画像と重畳させるエッジブレンド領域を含む領域の画像を表示画像として出力することができる。
【００４４】
表示装置１００ｂ、１００ｃ、１００ｄにおいても同様の処理が行われ、夫々の出力部２００は、位置情報に対応する基準位置に基づいて画像情報から選択した領域の画像を表示画像として出力する。このようにすることで、表示装置１００は、他の表示装置１００と連動して表示画像を出力することができる。
【００４５】
［拡大・縮小動作の説明］
以下、図７及び図８を参照して、表示装置１００ａが他の表示装置１００ｂ、１００ｃ、１００ｄと連動して表示画像を出力中に、表示画像を拡大又は縮小する場合の動作について説明する。なお、表示装置１００ａ、１００ｂ、１００ｃ、１００ｄは、２×２構成に配置されているものとする。
【００４６】
図７は、表示装置１００が表示画像を拡大する場合の動作について説明するための図である。図８は、表示装置１００が表示画像を拡大又は縮小する動作のフローチャートである。図８（ａ）は、マスター装置として機能する表示装置１００ａの動作を示すフローチャートである。図８（ｂ）は、スレーブ装置として機能する表示装置１００ｂ、１００ｃ、１００ｄの動作を示すフローチャートである。表示装置１００ａは、ユーザによるスケーリング指示に基づいて、表示中の、画像情報に含まれる画像を拡大することにより生成したスケーリング画像を、他の表示装置１００ｂ、１００ｃ、１００ｄに送信する。表示装置１００ｂ、１００ｃ、１００ｄの動作は同一であるので、表示装置１００ｂについてのみ説明し、他の表示装置１００ｃ、１００ｄの動作については適宜省略する。
【００４７】
図８のフローチャートは、ユーザが操作部又はリモコンを介して、表示装置１００ａに表示画像を拡大又は縮小するスケーリング指示を行った時点で開始する。ここでは、ユーザは、表示画像を２倍に拡大する指示を行ったものとする。
【００４８】
指示受付部１６０は、スケーリング指示として表示画像を２倍に拡大する指示を受け付けると（Ｓａ２）、制御部１１１に指示信号を送信する。制御部１１１は、指示信号を受信すると、画像処理部１４０に、画像情報に含まれる画像において表示画像として出力する領域を選択させる。画像処理部１４０は、拡大率に対応する大きさで、表示画像の基準位置６００を中心とする領域を、拡大後の画像情報に含まれる画像の領域とすることによりスケーリング画像を生成する。具体的には、画像処理部１４０は、表示中の、画像情報に含まれる画像を２倍に拡大した画像に対応する領域、すなわち破線で示すエリア４２０を選択し、エリア４２０の画像を２倍に拡大したスケーリング画像を生成する（Ｓａ４）。画像処理部１４０は、生成したスケーリング画像を画像送信部１５０に送信し、画像送信部１５０は、スケーリング画像を表示装置１００ｂに送信する（Ｓａ６）。
【００４９】
続いて、表示装置１００ａの画像処理部１４０は、エリア４２０を、位置情報に対応するように４分割する。画像処理部１４０は、上記の通り、基準位置６１０を設定する。画像処理部１４０は、設定された基準位置６１０を基準として、太線で囲まれたエリア４１１を表示画像として出力する領域として選択する（Ｓａ８）。出力部２００は、エリア４１１を表示画像として出力する（Ｓａ１０）。
【００５０】
表示装置１００ｂの画像取得部１２０は、表示装置１００ａの画像送信部１５０が送信した、表示中の画像に対応する画像情報に含まれる画像に対して拡大されたスケーリング画像を取得する（Ｓｂ２）。表示装置１００ｂの画像処理部１４０は、ステップＳａ８と同様に、表示画像を出力する領域を選択する（Ｓｂ４）。出力部２００は、選択された領域を表示画像として出力する（Ｓｂ６）。表示装置１００ｃ、１００ｄにおいても同様の処理が行われ、夫々の出力部２００は、スケーリング指示に応じて、位置情報に対応する基準位置に基づいて画像情報に含まれる画像から選択した領域を表示画像として出力する。
【００５１】
なお、図８に示した例では、表示装置１００ｂは、マスター装置として機能する表示装置１００ａからスケーリング画像を取得したが、これに限らない。表示装置１００ｂは、連動して表示画像を表示している、一以上の他の表示装置１００の少なくともいずれか一台から、スケーリング画像を取得してもよい。例えば、表示装置１００ｂは、他の表示装置１００とカスケード接続されている場合、表示装置１００ｃの下流に接続することもでき、この場合、表示装置１００ｃからスケーリング画像を取得してもよい。
【００５２】
図７（ｂ）は、表示装置１００が、スケーリング指示を受けて、全体画像５００を２倍に拡大して、他の表示装置１００と連動して出力した全体画像５０２を示す。基準位置６１０は、表示装置１００ａの位置情報に対応した基準位置であり、太線で囲まれたエリア４１１は、上記の通り、表示装置１００ａが表示画像を出力する領域である。このようにすることで、表示装置１００は、他の表示装置１００と連動して表示画像を出力中に、拡大又は縮小するためのスケーリング指示に基づいて表示画像の拡大又は縮小を行っても、画像の整合性を崩すことなく、適切に画像を表示することができる。
【００５３】
本実施形態では、拡大を行うスケーリング指示を受けたものとして説明を行ったが、縮小を行うスケーリング指示であっても同様である。また、本実施形態では、表示装置１００が、画像の移動が行なわれていない状態でスケーリング指示を受けてスケーリングを行う際の動作について説明したが、表示装置１００は、表示画像の表示位置を移動した後に、さらにスケーリングを行ってもよい。表示装置１００は、スケーリングを行った後に表示位置を移動してもよい。
【００５４】
さらに、本実施形態では、４台の表示装置１００の構成が同一であるとしたが、構成の異なる表示装置１００を連動して表示画像を出力してもよい。例えば、最大拡大倍率が異なっている場合、情報取得部１３０は、あらかじめ他の表示装置１００の最大拡大倍率を倍率情報として取得してもよい。制御部１１１は、取得した倍率情報に基づき、拡大倍率の上限を設定してもよく、例えば、構成される複数の表示装置１００の中で最も低い拡大倍率に設定することができる。制御部１１１は、縮小倍率についても同様に、縮小倍率の下限を設定することができる。
【００５５】
［第２モードでの動作］
続いて、出力部２００が、単独で画像を出力する第２モードで動作する場合について説明する。
図９は、表示装置１００が単独で画像を出力する場合について説明する図である。図９（ａ）は、表示装置１００が夫々単独で画像を出力する第２モードで動作している場合の全体画像５１０を示す。全体画像５１０は、表示装置１００が、夫々同じ画像情報に基づく表示画像を表示することにより得られる。基準位置６０１ａ、６０１ｂ、６０１ｃ、６０１ｄは、夫々表示装置１００ａ、１００ｂ、１００ｃ、１００ｄが出力中の表示画像の中心位置を示す。
【００５６】
図９（ｂ）は、表示装置１００が、夫々表示する表示画像の中心位置である基準位置６０１を起点として拡大して出力した複数の表示画像を含む全体画像５１１を示している。このように、表示装置１００の出力部２００は、選択部１７０が第２モードを選択した場合、出力中の表示画像の中心位置を基準として、画像情報に含まれる画像を拡大又は縮小した画像を表示画像として出力することで、適切な画像を表示することができる。
【００５７】
［表示システムＳによる効果］
以上説明したように、表示システムＳにおいては、表示装置１００の出力部２００が、出力中の表示画像の中心位置と異なる位置を基準位置として、全体画像における表示装置１００が出力する表示画像の位置に基づいて画像情報に含まれる画像から選択した領域の画像を新たな表示画像として出力する。出力部２００がこのような構成を有することで、表示システムＳは、複数の表示装置１００が連動して表示している全体画像を拡大又は縮小することができる。表示システムＳは、制御用のコンピュータなどの外部装置を用いることなく、全体画像を拡大又は縮小することができるので、コンピュータが出力する画像以外の画像を投影する場合に好適である。
【００５８】
＜第２の実施形態＞
第１の実施形態においては、表示装置１００ａが画像情報に含まれる画像を拡大又は縮小したスケーリング画像を画像情報として送信し、表示装置１００ｂ、１００ｃ、１００ｄが表示装置１００ａから受信した画像情報から表示画像として出力する領域の選択を行った。第２の実施形態では、マスター装置として機能する表示装置１００ａが、他の表示装置１００の位置情報に対応した画像情報を生成し、生成した画像情報を他の表示装置１００に送信する場合について説明する。
【００５９】
図１０は、第２の実施形態の表示装置１００が表示画像を拡大又は縮小する動作のフローチャートである。図１０（ａ）は表示装置１００ａの動作を示すフローチャート、図１０（ｂ）は表示装置１００ｂ、１００ｃ、１００ｄの動作を示すフローチャートである。また、図８を参照して説明した動作と同様の処理については具体的な説明は省略する。なお、表示装置１００ａの情報取得部１３０は、他の表示装置１００ｂ、１００ｃ、１００ｄの位置情報を取得しているものとする。
【００６０】
まず、表示装置１００ａの指示受付部１６０が、全体画像５００を拡大又は縮小するためのスケーリング指示を受け付ける（Ｓａ１２）。表示装置１００ａの画像処理部１４０は、スケーリング指示に基づいて画像情報からスケーリング画像を生成する（Ｓａ１４）。画像処理部１４０は、生成したスケーリング画像から、他の表示装置１００のいずれか一台の位置情報に対応する領域の画像を基準位置に基づいて選択する。画像処理部１４０は、選択した領域の画像を画像情報として新たに生成する（Ｓａ１６）。表示装置１００ａの画像送信部１５０は、画像処理部１４０が選択した領域の画像を、画像情報として、他の表示装置１００ｂに送信する（Ｓａ１８）。そして、表示装置１００ａの出力部２００は、画像処理部１４０が新たに生成した画像情報を表示画像として出力する（Ｓａ２０）。
【００６１】
表示装置１００ｂの画像取得部１２０は、表示装置１００ａの画像送信部１５０が送信した画像情報を取得する（Ｓｂ８）。表示装置１００ｂの出力部２００は、画像取得部１２０が取得した画像情報を、表示画像として出力する（Ｓｂ１０）。
【００６２】
以上説明した通り、第２の実施形態においては、表示システムＳが備える複数の表示装置１００について、少なくともいずれか一台の表示装置１００が、他の表示装置１００が表示する拡大後又は縮小後の画像情報を送信する。このようにすることで、第２の実施形態に係る表示システムＳにおいては、一部の表示装置１００が、自装置の基準位置に基づいて拡大処理又は縮小処理をする機能を有しない場合であっても、一枚の全体画像を拡大又は縮小して表示できる。
【００６３】
＜第３の実施形態＞
第３の実施形態では、マスター装置として機能する表示装置１００ａが、スケーリング指示及び位置情報を他の表示装置１００ｂ、１００ｃ、１００ｄに送信し、表示装置１００ｂ、１００ｃ、１００ｄが拡大処理又は縮小処理を行う。以下、ユーザが、表示装置１００ａの操作部を用いて他の表示装置１００の表示位置を設定する場合を例にして説明する。
【００６４】
図１１は、第３の実施形態の表示装置１００が表示画像を拡大又は縮小する動作のフローチャートである。図１１（ａ）は表示装置１００ａの動作を示すフローチャート、図１１（ｂ）は表示装置１００ｂ、１００ｃ、１００ｄの動作を示すフローチャートである。表示装置１００ｂ、１００ｃ、１００ｄの動作は同一であるので、表示装置１００ｂについてのみ説明し、他の表示装置１００ｃ、１００ｄの動作については適宜省略する。
【００６５】
まず、表示装置１００ａの指示受付部１６０が、操作部から全体画像５００を拡大又は縮小するためのスケーリング指示を受け付ける（Ｓａ２２）。
送信部１８０は、表示装置１００ｂに、表示装置１００ｂに対応する位置情報と、取得したスケーリング指示と、を送信する（Ｓａ２４）。画像処理部１４０は、受け付けたスケーリング指示に基づいて画像情報に含まれる画像を拡大又は縮小したスケーリング画像を生成し（Ｓａ２６）、スケーリング画像から、スケーリング指示が示す拡大率又は縮小率に対応する領域の画像を前記基準位置に基づいて選択する（Ｓａ２８）。出力部２００は、画像処理部１４０が選択した領域の画像を表示画像として出力する（Ｓａ３０）。
【００６６】
表示装置１００ｂの情報取得部１３０は、表示装置１００ａの送信部１８０から、スケーリング指示及び自装置が出力する画像の位置を示す位置情報を取得する（Ｓｂ１２）。画像処理部１４０は、スケーリング指示に基づいて、画像情報に含まれる画像を拡大又は縮小したスケーリング画像を生成する（Ｓｂ１４）。表示装置１００ｂの出力部２００は、画像処理部１４０が生成したスケーリング画像から、位置情報に対応する基準位置、及びスケーリング指示が示す拡大率又は縮小率に対応する領域（不図示、図７で右上の領域）の画像を選択する（Ｓｂ１６）。出力部２００は、選択した領域の画像を表示画像として出力する（Ｓｂ１８）。
【００６７】
このようにすることで、表示装置１００ｂ、１００ｃ、１００ｄは、拡大又は縮小した画像情報に含まれる画像を送受信することなく、表示画像の拡大又は縮小を行うことができるので、表示装置１００の間のデータ転送量を少なくすることができる。したがって、本実施形態に係る表示システムＳは、表示装置１００の間のデータ転送量が制限されている場合などでも、適切に画像を表示することができる。
【００６８】
以上、本発明の実施の形態、およびいくつかの実施の形態をもとに説明した。これらの任意の組み合わせによって生じる新たな実施の形態も、本発明の実施の形態に含まれる。組み合わせによって生じる新たな実施の形態の効果は、もとの実施の形態の効果を合わせ持つ。また本発明の技術的範囲は上記実施の形態に記載の範囲には限定されず、その要旨の範囲内で種々の変形及び変更が可能である。
【００６９】
例えば、上記の説明では、表示装置１００がプロジェクタである場合について説明したが、表示装置１００は、ディスプレイであってもよい。また、位置情報に対応する基準位置は、画像情報における任意の位置に設定されてよい。
【符号の説明】
【００７０】
１００  表示装置
１２０  画像取得部
１３０  情報取得部
１４０  画像処理部
１７０  選択部
２００  出力部
【図１】
2018060083.tif 000003
【図２】
2018060083.tif 000004
【図３】
2018060083.tif 000005
【図４】
2018060083.tif 000006
【図５】
2018060083.tif 000007
【図６】
2018060083.tif 000008
【図７】
2018060083.tif 000009
【図８】
2018060083.tif 000010
【図９】
2018060083.tif 000011
【図１０】
2018060083.tif 000012
【図１１】
2018060083.tif 000013